(57)【特許請求の範囲】
【請求項１】
ベルト１の基端部２側に第１切り欠き部３と第２切り欠き部４を設けた係止部５を備えた第１突起部６と先端部７には前記第１突起部６に挿入してベルト１を係止状態とするつまみ部８を備えた係止受穴９を設け、
前記係止受穴９と前記第１突起部６はベルト１の長尺方向に細長く形成され、前記係止受穴９の後端１０から前端１１にかけて弾性板材に緊縛方向Ｙに対して直角に少し湾曲させた湾曲部１２が設けられており、前記係止受穴９の後端１０を前記第１突起部６の第１切り欠き部３に挿入させて前記湾曲部１２を緊縛方向Ｙに引き延ばし、前記係止受穴９の前端１１を前記第１突起部６の第２切り欠き部４に付勢力により係止させて前記係止受穴９を前記第１突起部６に係合させるようにし、前記係止受穴９と前記第１突起部が係合した状態を解除する際は、前記係止受穴９の付勢力により解除方向に押し出されるようになるので解除操作が容易になることを特徴とするベルト留め具。
【請求項２】
前記係止受穴９を前記第１切り欠き部３に挿入して、緊縛方向Ｙに引き延ばした状態における係止受穴９の径Ｌを前記第１突起部６の首径ｌに第２切り欠き部分の寸法ａとαを加えた値にして、第２切り欠き部分の寸法ａを第１切り欠き部分の寸法ｂより小さく、前記係止受穴９の径Ｌが前記第１突起部６の首径ｌに前記第１切り欠き部分の寸法ｂを加えた値以下になるように構成したことを特徴とする請求項１に記載のベルト留め具。
【請求項３】
前記第１突起部６と前記係止受穴９を並列して複数配置したことを特徴とする請求項１又は請求項２に記載のベルト留め具。
【請求項４】
前記第１突起部６と前記係止受穴９を縦列に複数配置したことを特徴とする請求項１乃至請求項３のいずれか１項に記載のベルト留め具。
【請求項５】
前記基端部２側に第２突起部１４と先端部７側には、前記第２突起部１４にゆるみ方向Ｚに抗する形で挿入できる長穴１５を設けていることを特徴とする請求項１乃至請求項４のいずれか１項に記載のベルト留め具。
【発明の詳細な説明】
【技術分野】
【０００１】  本発明はベルト留め具に関するものである。
【背景技術】
【０００２】  従来、衣類の重ね合わせ部の接合部、カバン、箱などの蓋の留め部や、折りたたみ傘の布を束ねるバンドなどを留めるにはボタン、ホック、面ファスナー、バックルの他、結束バンドなどが一般的である。
これらは数個の部品を組み立てたり、縫い付けたり、総じて手間がかかり、操作性も悪く課題があった。
【先行技術文献】
【特許文献】
【０００３】
【特許文献１】  特開２０１１−１４７６２０号
【特許文献２】  特開２０１１−５１４９５１号
【発明の概要】
【発明が解決しようとする課題】
【０００４】  本発明は、留めたりはずしたりの操作が容易であって、一体成形可能のシンプルな構成でデザイン性にも優れ、また、製造コストの低減もはかれるベルト留め具を提供することを目的とする。
【課題を解決するための手段】
【０００５】
上記の課題を解決するために、請求項１に記載の発明は、ベルト１の基端部２側に第１切り欠き部３と第２切り欠き部４を設けた係止部５を備えた第１突起部６と先端部７には前記第１突起部６に挿入してベルト１を係止状態とするつまみ部８を備えた係止受穴９を設け、前記係止受穴９と前記第１突起部６はベルト１の長尺方向に細長く形成され、前記係止受穴９の後端１０から前端１１にかけて弾性板材に緊縛方向Ｙに対して直角に少し湾曲させた湾曲部１２が設けられており、前記係止受穴９の後端１０を前記第１突起部６の第１切り欠き部３に挿入させて前記湾曲部１２を緊縛方向Ｙに引き延ばし、前記係止受穴９の前端１１を前記第１突起部６の第２切り欠き部４に付勢力により係止させて前記係止受穴９を前記第１突起部６に係合させるようにし、前記係止受穴９と前記第１突起部が係合した状態を解除する際は、前記係止受穴９の付勢力により解除方向に押し出されるようになるので解除操作が容易になることを特徴とする。
【０００６】
また、請求項２に記載の発明は、前記係止受穴９を前記第１切り欠き部３に挿入して、緊縛方向Ｙに引き延ばした状態における係止受穴９の径Ｌを前記第１突起部６の首径ｌに第２切り欠き部分の寸法ａとαを加えた値にして、第２切り欠き部分の寸法ａを第１切り欠き部分の寸法ｂより小さく、前記係止受穴９の径Ｌが前記第１突起部６の首径ｌに前記第１切り欠き部分の寸法ｂを加えた値以下になるように構成したことを特徴とする。
【０００７】
また、請求項３に記載の発明は、前記第１突起部６と前記係止受穴９を並列して複数配置したことを特徴とする。請求項４に記載の発明は、前記第１突起部６と前記係止受穴９を縦列に複数配置したことを特徴とする。
【０００８】
また、請求項５記載の発明は、前記基端部２側に第２突起部１４と先端部７側には、前記第２突起部１４にゆるみ方向Ｚに抗する形で挿入できる長穴１５を設けていることを特徴とする。
【０００９】  以上のように本発明のベルト留め具によれば、係止受穴を確実に係止部に挿入させて有効に係合状態を保持できる構成である。また、係止受穴を少し湾曲させているので係止受穴を第１突起部に挿入しやすく、また、係止受穴部の付勢力によって解除方向に押し出されるようになるので解除操作が容易になる。【００１０】  また、係止受穴の径Ｌを第１突起部の首径ｌに第１切り欠き部分の寸法ｂを加えた値以下にして不用意にベルトのゆるみ方向Ｚに力が加えられても外れることのないようにしている。【００１１】  また、並列に複数個配置して、例えば、着衣のボタンの代替として用いてもよい。【００１２】  また、係止受穴を縦列に配置して物体の大きさに対応させるようにして用いてもよい。【００１３】  また、本発明に係るベルト留め具の材質として、プラスチックが好適であり、一体成形が可能のシンプルな構成であるので、製造コストの低減をはかることができる。
また、材質および製造方法についてはこれに限定されるものでもなく、紙、布、金属を用いてもよい。【００１４】  また、第２突起部と長穴をゆるみ方向Ｚに抗する形で設けて、第１突起部と係止受穴のゆるみ方向Ｚの負荷を減じるようにしている。
【発明の効果】
【００１５】  以上のように、本発明にかかるベルト留め具によれば、ベルトを容易に確実に係合状態にする。また、簡単に外すことができ、操作性にも優れシンプルな構成で製造コストの低減もはかることができる。
【図面の簡単な説明】
【００１６】
【図１】ベルト留め具の実施例を示す斜視図である。
【図２】係止受穴の実施例を示す縦断面図である。
【図３】係止受穴部を緊縛方向に引き伸ばした状態の実施例を示す縦断面図である。
【図４】突起部の実施例を示す縦断面図である。
【図５】係止受穴と突起部の係合状態を示す縦断面図である。
【図６】係止受穴と突起部を並列に配置した状態の実施例を示す斜視図である。
【図７】係止受穴を縦列に配置した状態の実施例を示す斜視図である。
【図８】第２突起部と長穴の実施例を示す斜視図である。
【発明を実施するための形態】
【００１７】  以下、本発明の実施の形態について図面を参酌しながら説明する。図１は、ベルト留め具の一例を示す斜視図、図２は係止部の拡大側面図である。
【００１８】  ベルト留め具１は、図１に示すようにベルト留め具１の基端部２側に第１切り欠き部３と第２切り欠き部４とを設けた係止部５を備えた第１突起部６と先端部７には前記第１突起部６に挿入してベルト留め具１を係合状態とするつまみ部８と湾曲部１２を設けた係止受穴９を設けて挿入しやすく、また解除操作が容易になるようにしている。
【００１９】  また、ベルト留め具１は図３に示すように係止受穴の径Ｌを第１突起部首径ｌに第２切り欠き部分の寸法ａとαを加えた値にしている。この場合のαの数値は係止受穴が突起部６に挿入できればよく、操作しやすい範囲で出来るだけ小さくしているので、確実に係合状態を保持できる。
【００２０】  また、ベルト留め具１は図４に示すように係止受穴の径Ｌを第１突起部の首径ｌに第１切り欠き部分の寸法ｂを加えた値以下になるようにして、ゆるみ方向Ｚから力が加えられても不用意に係止状態を解除されない構造である。
図５に示すように係止受穴が突起部に係合した状態を示す断面図である。
【００２１】  また、ベルト留め具１は図６に示すように第１突起部６と係止受穴９を並列して複数配置して衣類のボタンの代替として利用してもよい。
【００２２】  また、ベルト留め具１は図７に示すように係止受穴９を複数縦列に配置して、物体１３の大きさの変化に対応させることができる構成である。
【００２３】  また、ベルト留め具１は図８に示すように第２突起部と長穴をゆるみ方向Ｚに抗する形で設けて第１突起部と係止受穴のゆるみ方向Ｚの負荷を減じるようにしている。
【００２４】  また、本発明にかかるベルト留め具１の材質としてプラスチックなどの弾性的素材が好適であり、一体化成形も可能なシンプルな構成を採用しており、製造コストの低減を図ることができる。尚、材質及び製造方法についてはこれに限定されることはなく、紙、布などを用いてもよい。
【符号の説明】
【００２５】１．ベルト
２．基端部
３．第１切り欠き部
４．第２切り欠き部
５．係止部
６．第１突起部
７．先端部
８．つまみ部
９．係止受穴
１０．後端
１１．前端
１２．湾曲部
１３．物体
１４．第２突起部
１５．長穴
Ｙ．緊縛方向
Ｚ．ゆるみ方向
Ｌ．係止受穴の径
ｌ．首径
ａ．第２切り欠き部の寸法
ｂ．第１切り欠き部の寸法
【要約】      （修正有）【課題】簡単な構造で、確実に係合できる操作性の優れた、コストのかからないベルト留め具を提供する。【解決手段】係止受穴９の後端１０と前端１１の間に弾性板材にて緊縛方向Ｙに対して直角に少し湾曲させた湾曲部１２を設けている。また、係止受穴の径Ｌを首径ｌに第２切り欠き部４の寸法ａとαを加えた値、尚この場合の値は操作できる範囲でできるだけ小さく、かつ、首径ｌに第１切り欠き寸法ｂを加えた値以下になるようにして操作しやすく不用意に外れない構造にしている。第２突起部と長穴を設けて、第１突起部６と係止受穴のゆるみ方向の負荷を減じるようにした。【選択図】図１【図１】
0005700381.tif 000002
【図２】
0005700381.tif 000003
【図３】
0005700381.tif 000004
【図４】
0005700381.tif 000005
【図５】
0005700381.tif 000006
【図６】
0005700381.tif 000007
【図７】
0005700381.tif 000008
【図８】
0005700381.tif 000009